【手続補正書】
【提出日】平成18年3月14日(2006.3.14)
【手続補正１】
【補正対象書類名】明細書
【補正対象項目名】発明の名称
【補正方法】変更
【補正の内容】
【発明の名称】電子協調作業システム、制御装置及び電子協調作業システムの画像表示方法
【手続補正２】
【補正対象書類名】明細書
【補正対象項目名】特許請求の範囲
【補正方法】変更
【補正の内容】
【特許請求の範囲】
【請求項１】  制御装置と、前記制御装置と無線通信する複数のユーザ端末とを備える電子協調作業システムにおいて、
前記制御装置は、
共通閲覧用画面を構築する構築手段と、
前記ユーザ端末毎に無線回線容量を判別する容量判別手段と、
前記ユーザ端末毎の表示能力を判別する表示能力判別手段と、
前記容量判別手段により判別した無線回線容量と、前記表示能力判別手段により判別した表示能力とに基づいて、前記ユーザ端末毎に画面の表示サイズを規定する規定手段と、
前記規定手段により規定した表示サイズをデータ送信するサイズ送信手段とを備え、
前記ユーザ端末は、受信した前記表示サイズで閲覧用画面を表示する表示手段を備えることを特徴とする電子協調作業システム。
【請求項２】  複数のユーザ端末と無線通信する制御装置において、
共通閲覧用画面を構築する構築手段と、
前記ユーザ端末毎に無線回線容量を判別する容量判別手段と、
前記ユーザ端末毎の表示能力を判別する表示能力判別手段と、
前記容量判別手段により判別した無線回線容量と、前記表示能力判別手段により判別した表示能力とに基づいて、前記ユーザ端末毎に画面の表示サイズを規定する規定手段と、
前記規定手段により規定した表示サイズをデータ送信するサイズ送信手段とを備えることを特徴とする制御装置。
【請求項３】  複数のユーザ端末と無線通信する制御装置において、
共通閲覧用画面を構築する構築手段と、
前記ユーザ端末毎に無線回線容量を判別する容量判別手段と、
前記ユーザ端末毎の表示能力を判別する表示能力判別手段と、
前記容量判別手段により判別した無線回線容量と、前記表示能力判別手段により判別した表示能力とに基づいて、前記ユーザ端末毎に画面の表示サイズを規定する規定手段と、
前記構築手段により構築した共通閲覧用画面と、前記規定手段により規定した前記各ユーザ端末の表示サイズとに基づいて、前記各ユーザ端末において表示する表示画面データを作成する作成手段と、
前記作成手段により作成した表示画面データを送信する送信手段とを備えることを特徴とする制御装置。
【請求項４】  制御装置と、前記制御装置と無線通信する複数のユーザ端末とを備える電子協調作業システムの画像表示方法において、
前記制御装置により、
共通閲覧用画面を構築する構築工程と、
前記ユーザ端末毎に無線回線容量を判別する容量判別工程と、
前記ユーザ端末毎の表示能力を判別する表示能力判別工程と、
前記容量判別工程において判別した無線回線容量と、前記表示能力判別工程において判別した表示能力とに基づいて、前記ユーザ端末毎に画面の表示サイズを規定する規定工程と、
前記規定工程において規定した表示サイズをデータ送信するサイズ送信工程とを実行し、
前記ユーザ端末により、受信した表示サイズで閲覧用画面を表示する表示工程を実行することを特徴とする電子協調作業システムの画像表示方法。
【請求項５】  前記容量判別工程は、前記ユーザ端末と通信する通信方式の通信速度に応じて、当該ユーザ端末との無線回線容量を判別することを特徴とする請求項４記載の電子協調作業システムの画像表示方法。
【請求項６】  前記各ユーザ端末は、自身の表示画面の画素サイズを前記制御装置に通知する通知工程を実行し、
前記表示能力判別工程は、前記各ユーザ端末から通知された画素サイズと、前記制御装置により表示する際の画素サイズとに基づいて、前記各ユーザ端末の表示能力を判別することを特徴とする請求項４又は５記載の電子協調作業システムの画像表示方法。
【請求項７】  前記表示能力判別工程は、前記ユーザ端末のうち、前記通知された画素サイズが前記制御装置の画素サイズがより大きいものについては、当該ユーザ端末の表示能力は前記制御装置の表示能力と同等であると判別することを特徴とする請求項６記載の電子協調作業システムの画像表示方法。
【請求項８】  前記容量判別工程は、前記表示能力判別工程における判別に応じて、前記ユーザ端末との無線回線容量を判別することを特徴とする請求項４乃至７のいずれか１項に記載の電子協調作業システムの画像表示方法。
【請求項９】  前記規定工程は、前記容量判別工程において判別した無線回線容量と、前記表示能力判別工程において判別した表示能力とに応じて、前記ユーザ端末のユーザに表示サイズを選択させ、該選択に基づいて、表示サイズを規定することを特徴とする請求項４乃至８のいずれか１項に記載の電子協調作業システムの画像表示方法。
【請求項１０】  前記構築工程は、前記各ユーザ端末からの情報に基づいて、共通閲覧用画面を構築することを特徴とする請求項４乃至９のいずれか１項に記載の電子協調作業システムの画像表示方法。
【請求項１１】  前記制御装置は、前記規定工程において規定した表示サイズに基づき前記各ユーザ端末にて表示する表示画面データを作成する作成工程と、
前記作成工程において作成した表示画面データを前記ユーザ端末に送信するデータ送信工程とを有することを特徴とする請求項４乃至１０のいずれか１項に記載の電子協調作業システムの画像表示方法。
【手続補正３】
【補正対象書類名】明細書
【補正対象項目名】０００１
【補正方法】変更
【補正の内容】
【０００１】
【発明の属する技術分野】
本発明は、電子協調作業システムに関し、特に、ネットワーク接続された各端末で同じアプリケーションを起動して協調作業を実行する電子協調作業システム、制御装置及び電子協調作業システムの画像表示方法に関する。
【手続補正４】
【補正対象書類名】明細書
【補正対象項目名】００１９
【補正方法】変更
【補正の内容】
【００１９】
本発明の目的は、各ユーザ端末の表示画面サイズに関わらず、共通閲覧用画面を統一した画面構成とすることができ、且つ、各ユーザ端末では、各ユーザ端末の表示画面サイズに適した画面表示を行うことができるようにすることにある。
【手続補正５】
【補正対象書類名】明細書
【補正対象項目名】００２０
【補正方法】変更
【補正の内容】
【００２０】
【課題を解決するための手段】
上記目的を達成するために、請求項１記載の電子協調作業システムは、制御装置と、前記制御装置と無線通信する複数のユーザ端末とを備える電子協調作業システムにおいて、前記制御装置は、共通閲覧用画面を構築する構築手段と、前記ユーザ端末毎に無線回線容量を判別する容量判別手段と、前記ユーザ端末毎の表示能力を判別する表示能力判別手段と、前記容量判別手段により判別した無線回線容量と、前記表示能力判別手段により判別した表示能力とに基づいて、前記ユーザ端末毎に画面の表示サイズを規定する規定手段と、前記規定手段により規定した表示サイズをデータ送信するサイズ送信手段とを備え、前記ユーザ端末は、受信した前記表示サイズで閲覧用画面を表示する表示手段を備えることを特徴とする。
また、複数のユーザ端末と無線通信する制御装置において、共通閲覧用画面を構築する構築手段と、前記ユーザ端末毎に無線回線容量を判別する容量判別手段と、前記ユーザ端末毎の表示能力を判別する表示能力判別手段と、前記容量判別手段により判別した無線回線容量と、前記表示能力判別手段により判別した表示能力とに基づいて、前記ユーザ端末毎に画面の表示サイズを規定する規定手段と、前記規定手段により規定した表示サイズをデータ送信するサイズ送信手段とを備えることを特徴とする。
また、複数のユーザ端末と無線通信する制御装置において、共通閲覧用画面を構築する構築手段と、前記ユーザ端末毎に無線回線容量を判別する容量判別手段と、前記ユーザ端末毎の表示能力を判別する表示能力判別手段と、前記容量判別手段により判別した無線回線容量と、前記表示能力判別手段により判別した表示能力とに基づいて、前記ユーザ端末毎に画面の表示サイズを規定する規定手段と、前記構築手段により構築した共通閲覧用画面と、前記規定手段により規定した前記各ユーザ端末の表示サイズとに基づいて、前記各ユーザ端末において表示する表示画面データを作成する作成手段と、前記作成手段により作成した表示画面データを送信する送信手段とを備えることを特徴とする。
また、制御装置と、前記制御装置と無線通信する複数のユーザ端末とを備える電子協調作業システムの画像表示方法において、前記制御装置により、共通閲覧用画面を構築する構築工程と、前記ユーザ端末毎に無線回線容量を判別する容量判別工程と、前記ユーザ端末毎の表示能力を判別する表示能力判別工程と、前記容量判別工程において判別した無線回線容量と、前記表示能力判別工程において判別した表示能力とに基づいて、前記ユーザ端末毎に画面の表示サイズを規定する規定工程と、前記規定工程において規定した表示サイズをデータ送信するサイズ送信工程とを実行し、前記ユーザ端末により、受信した表示サイズで閲覧用画面を表示する表示工程を実行することを特徴とする。
【手続補正６】
【補正対象書類名】明細書
【補正対象項目名】０１４７
【補正方法】変更
【補正の内容】
【０１４７】
〔実施態様１５〕  実施態様１４記載のプログラムを格納するコンピュータ読取り可能な記憶媒体。
以上詳細に説明したように、中央制御装置で判別された各ユーザ端末の無線回線容量及び表示能力に基づいて規定された基本表示サイズで各ユーザ端末の共通閲覧用画面を表示するので、各ユーザ端末の表示画面サイズに関わらず、共通閲覧用画面を統一した画面構成とすることができ、且つ、各ユーザ端末では、各ユーザ端末の表示画面サイズに適した画面表示を行うことができる。
【手続補正７】
【補正対象書類名】明細書
【補正対象項目名】０１４８
【補正方法】変更
【補正の内容】
【０１４８】
【発明の効果】
本発明によれば、各ユーザ端末の表示画面サイズに関わらず、共通閲覧用画面を統一した画面構成とすることができ、且つ、各ユーザ端末では、各ユーザ端末の表示画面サイズに適した画面表示を行うことができる。